(57)【特許請求の範囲】
【請求項１】
胴体部から分離可能に配設された分離胴体部がロック部により前記胴体部に固定され、前記ロック部が内部に磁性体を備える任意のアイテムと接触してロック状態から解除されると、前記分離胴体部は胴体部から分離及び離脱し、前記分離胴体部が分離した前記胴体部は展開して、外部の形状が第１の形状から第２の形状に変形し、
前記ロック部は、一方の側に配設され、前記アイテムに内在する前記磁性体との間に形成する磁場による引力により前記ロック部を変位させ、前記ロック部のロック状態を解除する磁石部を備えることを特徴とする、変形玩具。
【請求項２】
胴体部から分離可能に配設された分離胴体部がロック部により前記胴体部に固定され、前記ロック部が内部に磁性体を備える任意のアイテムと接触してロック状態から解除されると、前記分離胴体部は胴体部から分離及び離脱し、前記分離胴体部が分離した前記胴体部は展開して、外部の形状が第１の形状から第２の形状に変形し、
前記ロック部は、前記アイテムとの物理的な接触により前記ロック部が変位することで、前記ロック部のロック状態を解除し、
前記ロック部は、前記ロック部から所定の距離だけ離間して配設され、前記物理的に接触したアイテムに内在する磁性体と磁場を形成して前記アイテムを付着する磁石部をさらに備えることを特徴とする、変形玩具。
【請求項３】
胴体部から分離可能に配設された分離胴体部がロック部により前記胴体部に固定され、前記ロック部が内部に磁性体を備える任意のアイテムと接触してロック状態から解除されると、前記分離胴体部は胴体部から分離及び離脱し、前記分離胴体部が分離した前記胴体部は展開して、外部の形状が第１の形状から第２の形状に変形し、
前記ロック部は、前記アイテムとの物理的な接触により前記ロック部が変位することで前記ロック部のロック状態が解除され、前記ロック部の一方の側に配設され、前記ロック部の変位に応じて移動して、前記物理的に接触したアイテムが付着する磁石部を備えることを特徴とする、変形玩具。
【請求項４】
前記変形玩具は、前記ロック部がロック状態から解除されて分離すると、前記分離した分離胴体部が任意の方向に、移動、回転又は投擲のうち、少なくともいずれか１つの動作を行うように加圧力を提供する加圧部をさらに備えることを特徴とする、請求項１〜３のいずれか１項に記載の変形玩具。
【請求項５】
前記胴体部は、
展開可能に結合した複数の胴体部と、
前記ロック部を介して前記複数の胴体部のうちの少なくともいずれか１つの胴体部と結合して前記胴体部の外形が第１の形状を維持するように締結され、前記ロック部がアイテムによってロック状態から解除されると、前記胴体部の展開により前記胴体部の外形が第２の形状となるように、前記複数の胴体部から分離および離脱する分離胴体部と、
を備えることを特徴とする、請求項１〜４のいずれか１項に記載の変形玩具。
【請求項６】
前記胴体部は、外形が第２の形状に変形すると露出するキャラクタ部をさらに備えることを特徴とする、請求項１〜５のいずれか１項に記載の変形玩具。
【請求項７】
前記分離胴体部は、
内部に収納空間を形成し、前記ロック部が配設される第１の分離胴体部と、
前記第１の分離胴体部の両側に配設され、前記第１の分離胴体部と回動可能に結合された第２の分離胴体部と、
を備えることを特徴とする、請求項１〜６のいずれか１項に記載の変形玩具。
【請求項８】
前記分離胴体部は、前記アイテムの底面を露出させることを特徴とする、請求項１〜７のいずれか１項に記載の変形玩具。
【請求項９】
前記第２の形状は、動物形状、ロボット形状、人間形状、任意のアニメーションキャラクタ形状のうちの少なくともいずれか１つであることを特徴とする、請求項１〜８のいずれか１項に記載の変形玩具。
【発明の詳細な説明】
【技術分野】
【０００１】
本発明は、変形玩具に係り、さらに詳しくは、任意の位置に配置されたアイテムに向かって移動し、前記アイテムとの接触により胴体の一部が離脱して第１の形状から第２の形状に変形する変形玩具に関する。
【背景技術】
【０００２】
変形玩具は、ロボット形状または自動車形状など色々な形状を呈する玩具胴体を備え、これを組み立ててロボットまたは自動車玩具に変形させるものである。これは、１つの玩具で様々な形状を表現するので、子供たちが玩具を自分で組み立てながら変形させることにより、様々な遊びを楽しむことができるという利点がある。
【０００３】
一方、一般に知られている子供用のカード遊びは、四角形のカード表面または裏面に遊び用絵柄またはキャラクタなどが印刷されており、所定のゲームのルールに基づいて、前記絵柄またはキャラクタが印刷されたカードを裏返して確認することにより行われる。
【０００４】
このような子供用のカード遊びは、カード利用者が床面にカードを並べ、その後、そのカードを手で裏返して確認する過程を経て行われるものであり、遊びが単純であるため、子供の場合、簡単に興味を失ってしまい、カードの表面に印刷された絵柄を集める機能以外は別の機能がない。
【０００５】
韓国登録特許番号第１０−１３２７３０５号（発明の名称：変形自動車玩具及びそれを用いた遊び装置）には、自動車の下部に任意のカードが付着すると、前記自動車が直立するかまたは反転して、その付着したカードの底面が露出するようにした変形自動車玩具が開示されている。
【０００６】
このような従来の変形自動車玩具は、カードを裏返すために自動車玩具の前の部分を持ち上げるか裏返すなどの方法により変形できるようになっている。
【０００７】
しかしながら、このような従来の構成には、カードを裏返すための構成が、玩具にそのまま残っていて、変形により現れる第２の形状であるキャラクタイメージに不必要に残ることになり、本来のキャラクタイメージを提供できないという不都合がある。
【０００８】
また、従来技術による変形玩具は、カードを裏返すための構成が原因で、玩具の設計自由度が制限されるという不都合がある。
【先行技術文献】
【特許文献】
【０００９】
【特許文献１】韓国登録特許番号第１０−１３２７３０５号公報
【発明の概要】
【発明が解決しようとする課題】
【００１０】
このような不都合を解消するために、本発明は、任意の位置に配置されたアイテムに向かって移動し、前記アイテムとの接触により胴体の一部が離脱して第１の形状から第２の形状に変形する変形玩具を提供することを目的とする。
【課題を解決するための手段】
【００１１】
上記目的を達成するために、本発明に係る変形玩具は、胴体部から分離可能に配設された分離胴体部がロック部により前記胴体部に固定され、前記ロック部が任意のアイテムと接触してロック状態から解除されると、前記分離胴体部は胴体部から分離及び離脱し、前記分離胴体部が分離された胴体部は展開して外部の形状が第１の形状から第２の形状に変形することを特徴とする。
【００１２】
また、本発明に係る前記変形玩具は、前記ロック部がロック状態から解除されて分離されると、前記分離された分離胴体部が任意の方向に移動、回転又は投擲のうちの少なくとも１つの動作を行うように加圧力を提供する加圧部をさらに備えることを特徴とする。
【００１３】
また、本発明に係る前記アイテムは、内部に磁性体を備えることを特徴とする。
【００１４】
また、本発明に係る前記ロック部は、一方の側に配設され、前記アイテムに内在された磁性体との間に形成される磁場による引力により前記ロック部を変位させて前記ロック部のロック状態を解除させる磁石部を備えることを特徴とする。
【００１５】
また、本発明に係る前記ロック部は、前記アイテムとの物理的な接触により前記ロック部を変位させて前記ロック部のロック状態を解除することを特徴とする。
【００１６】
また、本発明に係る前記ロック部は、前記ロック部から所定の距離だけ離隔して配設され、前記物理的に接触したアイテムに内在された磁性体と磁場を形成して前記アイテムと付着させる磁石部をさらに備えることを特徴とする。
【００１７】
また、本発明に係る前記ロック部は、前記アイテムとの物理的な接触により前記ロック部を変位させて前記ロック部のロック状態を解除し、前記ロック部の一方の側に配設され、前記ロック部の変位に応じて移動して、前記物理的に接触したアイテムを付着させる磁石部を備えることを特徴とする。
【００１８】
また、本発明に係る前記胴体部は、展開可能に結合した複数の胴体部と、前記ロック部を介して前記複数の胴体部のうちの少なくとも１つの胴体部と結合して前記胴体部の外形が第１の形状を維持するように締結され、前記ロック部がアイテムによってロック状態から解除されると、前記胴体部の展開により前記胴体部の外形が第２の形状となるように前記複数の胴体部から分離及び離脱する分離胴体部と、を備えることを特徴とする。
【００１９】
また、本発明に係る前記胴体部は、外形が第２の形状に変形すると露出されるキャラクタ部をさらに備えることを特徴とする。
【００２０】
また、本発明に係る前記分離胴体部は、内部に収納空間を形成し、前記ロック部が配設される第１の分離胴体部と、前記第１の分離胴体部の両側に配設され、前記第１の分離胴体部と回動可能に結合された第２の分離胴体部と、を備えることを特徴とする。
【００２１】
また、本発明に係る前記分離胴体部は、前記アイテムの底面を露出させることを特徴とする。
【００２２】
また、本発明に係る前記第２の形状は、動物形状、ロボット形状、人間形状、任意のアニメーションキャラクタ形状のうちの少なくとも１つであることを特徴とする。
【発明の効果】
【００２３】
本発明は、任意の位置に配置されたアイテムに向かって移動させ、前記アイテムとの接触させることで胴体の一部が離脱し、第１の形状が第２の形状に変形することにより、遊びへの興味をさらに高めることができるという利点がある。
【００２４】
また、本発明は、玩具の胴体の一部が完全に分離することにより、変形が完了した後、キャラクタのイメージをさらに明確に示して玩具の完成度を向上させることができるという利点がある。
【００２５】
また、本発明は、変形のための構成がキャラクタの構成と分離することにより、玩具の設計自由度を向上させることができるという利点がある。
【図面の簡単な説明】
【００２６】
【図１】本発明に係る変形玩具を示す斜視図である。
【図２】本発明に係る変形玩具の動作状態を示す斜視図である。
【図３】本発明の第１の実施形態に係る変形玩具の構成を示す分解斜視図である。
【図４】本発明の第１の実施形態に係る変形玩具の構成を示す断面図である。
【図５】本発明の第１の実施形態に係る変形玩具の動作過程を示す断面図である。
【図６】本発明の第２の実施形態に係る変形玩具の構成を示す断面図である。
【図７】本発明の第２の実施形態に係る変形玩具の動作過程を示す断面図である。
【図８】本発明の第３の実施形態に係る変形玩具を示す断面図である。
【発明を実施するための形態】
【００２７】
以下、添付図面を参照して本発明に係る変形玩具の好適な実施形態について詳細に説明する。
【００２８】
（第１の実施形態）
図１は、本発明に係る変形玩具を示す斜視図であり、図２は、本発明に係る変形玩具の動作状態を示す斜視図であり、図３は、本発明の第１の実施形態に係る変形玩具の構成を示す分解斜視図であり、図４は、本発明の第１の実施形態に係る変形玩具の構成を示す断面図であり、図５は、本発明の第１の実施形態に係る変形玩具の動作過程を示す断面図である。
【００２９】
図１〜図５に示すように、本発明に係る変形玩具１００は、胴体部１１０から分離可能に配設された分離胴体部１１２がロック部１２０により前記胴体部１１０に固定され、前記ロック部１２０が任意のアイテム２００と接触してロック状態から解除されると、前記分離胴体部１１２は、胴体部１１０から分離及び離脱し、前記分離胴体部１１２が分離した胴体部１１０は展開して、外部の形状が第１の形状から第２の形状に変形するようになっている。変形玩具１００は、胴体を構成する胴体部１１０と、ロック手段としてのロック部１２０と、磁石部１３０と、加圧部１４０と、アイテム２００と、を備える。
【００３０】
すなわち、本発明に係る変形玩具１００は、任意の位置に配置されたアイテム２００に向かって変形玩具１００を移動させて前記変形玩具１００がアイテム２００に接触すると、ロック部１２０が解除されると共に前記変形玩具１００の外形が第１の形状から第２の形状に変形するようになっている。
【００３１】
前記胴体部１１０は、展開可能に結合した複数の胴体部１１１、１１３、１１４と、前記ロック部１２０を介して前記複数の胴体部１１１、１１３、１１４のうちの少なくともいずれか１つの胴体部と結合して前記胴体部１１０の外形が第１の形状を維持するように締結され、前記ロック部１２０がアイテム２００によってロック状態から解除されると、前記胴体部１１１、１１３、１１４が展開し、前記胴体部１１０の外形が第２の形状となるように、前記複数の胴体部１１１、１１３、１１４から分離及び離脱する分離胴体部１１２と、外形が第２の形状に変形すると露出するキャラクタ部１１５と、を備える。
【００３２】
前記展開可能に結合された胴体部は、上部胴体部１１１と、側面胴体部１１３と、後方胴体部１１４と、を備える。前記上部胴体部１１１は、一方の側に配設された上部胴体部ヒンジ１１１ａを介して後方胴体部１１４と上下方向に回動可能に結合される。前記側面胴体部１１３は、一方の側に配設された側面胴体部ヒンジ１１３ａを介して前記後方胴体部１１４と左右方向に回動可能に結合される。
【００３３】
本実施形態においては、説明の便宜のために、前記胴体部として、３つの構成要素が回動可能に結合しているものを実施形態として説明したが、本発明はこれに限定されるものではなく、展開する方法及び構成に基づいて胴体部の個数及び結合状態を変更実施することができることは明らかである。
【００３４】
また、本実施形態においては、変形玩具１００の第１の形状を自動車形状に限定して説明するが、本発明はこれに限定されるものではなく、車輪などを設けて移動可能に構成された物品の形状であれば何でも構わない。
【００３５】
前記上部胴体部１１１は、第１の形状の場合、車両の外形を形成し、内側には、第２の形状に変形した場合に外部に露出するキャラクタ部１１５が配設される。
【００３６】
前記分離胴体部１１２は、胴体部１１０の一方の側に分離可能に配設され、内側に配設されたロック部１２０により前記胴体部１１０の一方の側に固定される。分離胴体部１１２は、前記ロック部１２０がアイテム２００により動作してロック状態から解除されると、前記胴体部１１０から分離及び離脱し、前記胴体部１１０は、外部の形状が第１の形状から第２の形状に変形するように展開する。
【００３７】
また、前記分離胴体部１１２は、前記胴体部１１０から分離されると、任意の方向に移動するかまたは投擲されて前記胴体部１１０から離れるようになっている。
【００３８】
すなわち、前記分離胴体部１１２は、アイテム２００によりロック部１２０がロック解除されると、胴体部１１０の上部胴体部１１１、側面胴体部１１３から分離して、後述する加圧部１４０により、変形玩具１００が走行する進行方向の前方、左方、右方または後方などに向かって移動するかまたは投擲される。
【００３９】
また、前記分離胴体部１１２は、第１の分離胴体部１１２ａと、第２の分離胴体部１１２ｂと、前輪１１２ｃと、バネ１１２ｄと、を備え、前記分離胴体部１１２の底面にアイテム２００が付着すると、前記底面に付着したアイテム２００が露出する。
【００４０】
すなわち、アイテム２００の底面（または下面）に表示または印刷された情報を上部に露出させることにより、使用者が確認できるようにする。
【００４１】
前記第１の分離胴体部１１２ａは、内部に収納空間が形成され、ロック部１２０及び加圧部１４０が配設される。
【００４２】
また、前記第１の分離胴体部１１２ａの両側には、前記第１の分離胴体部１１２ａが回転可能なように、所定の長さだけ突出した第１の分離胴体部回転軸１１２ａが設けられる。
【００４３】
前記第２の分離胴体部１１２ｂは、第１の分離胴体部１１２ａの両側に配設され、前記第１の分離胴体部１１２ａの第１の分離胴体部回転軸１１２ａ’と回動可能に結合する結合孔１１２ｂ’と、胴体部１１０の側面胴体部１１３と結合する締結部１１２ｂ”と、を備える。
【００４４】
また、前記第２の分離胴体部１１２ｂは、一方の側に配設される前輪１１２ｃと、前記分離胴体部１１２が分離されると前記第１の分離胴体部１１２ａが所定の方向に回転するように弾性力を提供するバネ１１２ｄと、を備える。
【００４５】
前記前輪１１２ｃは、分離胴体部１１２が分離された場合に簡単に移動できるように前記第２の分離胴体部１１２ｂの両側に配設される。
【００４６】
また、本実施形態においては、前記前輪１１２ｃを分離胴体部１１２に構成したものを実施形態として説明したが、本発明はこれに限定されるものではなく、前記前輪１１２ｃを、上部胴体部１１１、側面胴体部１１３、キャラクタ１１５など、前記分離胴体部１１２を除いた胴体部１１０の任意の位置に配設した実施形態に変更することもできる。
【００４７】
前記側面胴体部１１３は、一方の側に配設されて後方胴体部１１４と左右方向に水平回転可能に結合させる役割を有する側面胴体部ヒンジ１１３ａと、他方の側に形成されて上部胴体部１１１の先端を締結して上方への回転を防止する係止突起１１３ｂと、分離胴体部１１２を締結する第１の締結溝１１３ｃ及び第２の締結溝１１３ｄと、を備える。
【００４８】
前記第１の締結溝１１３ｃは、ロック部１２０と結合して分離胴体部１１２及び側面胴体部１１３を密着固定し、しかも前記側面胴体部１１３を左右方向に水平回転しないように固定する。
【００４９】
前記第２の締結溝１１３ｄは、分離胴体部１１２の締結部１１２ｂ”と結合して前記分離胴体部１１２を側面胴体部１１３と一層強固に密着させる。
【００５０】
すなわち、前記第２の締結溝１１３ｄと締結部１１２ｂ”の結合とロック部１２０の結合により、前記分離胴体部１１２が側面胴体部１１３の一方の側で遊動することが防止され、ロック部１２０によるロック状態が強固に維持されるようにする。
【００５１】
前記後方胴体部１１４は、上部胴体部１１１及び側面胴体部１１３が回転による展開動作を行えるように支持する構成要素である。前記後方胴体部１１４は、後方胴体部第１のヒンジ１１４ａと、後方胴体部第２のヒンジ１１４ｂと、後輪１１４ｅと、を備える。
【００５２】
前記後方胴体部第１のヒンジ１１４ａは、第１のシャフト１１４ｃを介して上部胴体部１１１と結合し、前記上部胴体部１１１が弾性力により上方に垂直回転可能にバネ１１４ｃ’を備える。
【００５３】
前記後方胴体部第２ヒンジ１１４ｂは、一対からなり、第２のシャフト１１４ｄを介して側面胴体部１１３と結合し、前記側面胴体部１１３が弾性力により左方または右方に水平回転可能にバネ１１４ｄ’を備える。
【００５４】
前記キャラクタ部１１５は、上部胴体部１１１の内側に配設され、動物形状、ロボット形状、人間形状、または任意のアニメーションキャラクタ形状などの様々な形状を有する部材である。
【００５５】
前記ロック部１２０は、分離胴体部１１２に配設され、前記分離胴体部１１２、上部胴体部１１１及び側面胴体部１１３が結合したロック状態を維持することにより、変形玩具１００の第１の形状が維持されるように固定する構成要素である。ロック部１２０は、ロック部胴体１２１と、一対のラッチ１２２と、ラッチ結合部１２３と、を備える。
【００５６】
前記ロック部胴体１２１は、分離胴体部１１２の内側に上下方向に移動可能に配設される。
【００５７】
前記ラッチ１２２は、一方の側が前記ロック部胴体１２１と回動可能に連結され、他方の側には係止突起が形成されており、側面胴体部１１３の第１の締結溝１１３ｃと係合し、前記ロック部胴体１２１の上下方向の移動に伴い、前記ラッチ１２２の係止突起が前記第１の締結溝１１３ｃに係合されたロック状態が維持されるか、または係合が解除されたロック解除状態になる。
【００５８】
前記ラッチ結合部１２３は、ロック部胴体１２１の両側に所定の長さだけ突設され、前記ロック部胴体１２１の両側にラッチ１２２が回動可能に結合される。
【００５９】
前記磁石部１３０は、ロック部１２０の下部に配設され、アイテム２００に内在した磁性体２１０との間に形成される磁場による引力によって前記アイテム２００と付着することで、前記ロック部１２０が下方に向かって移動するように変位して前記ロック部１２０のロック状態を解除させる構成要素であって、磁気１３１と、バネ１３２と、を備える。
【００６０】
すなわち、前記バネ１３２は、ロック部１２０がバネ１３２の弾性力により所定の位置に維持されるように支持することにより、前記ロック部１２０のロック状態を維持できるようにする。
【００６１】
また、前記磁石１３１は、アイテム２００と形成する磁場の引力により、前記ロック部１２０を下方に向かって移動させることにより、前記ロック部１２０のラッチ１２２を回動させてロック状態を解除する。
【００６２】
その後、磁場による引力が消えると、バネ１３２の弾性力によりロック部１２０が上方に向かって移動して元の位置に戻ることにより、ロック部１２０はロック状態に戻る。
【００６３】
前記加圧部１４０は、分離胴体部１１２に配設され、ロック部１２０がロック状態から解除されて分離されると、前記分離した分離胴体部１１２を任意の方向に移動するように加圧するか、任意の方向に回転しながら分離するように加圧するか、または任意の方向に投げられるように投擲する加圧力を提供する構成要素であって、加圧ラッチ１４１と、バネ１４２と、を備える。
【００６４】
前記加圧ラッチ１４１は、ロック部１２０がロック解除されると、上部胴体部１１１またはキャラクタ部１１５側へ突出し、前記上部胴体部１１１またはキャラクタ部１１５と接触することにより、分離胴体部１１２が所定の方向に移動できるように前記上部胴体部１１１またはキャラクタ部１１５を押し出す。
【００６５】
前記バネ１４２は、ロック部１２０がロック解除されると、分離胴体部１１２が所定の方向に移動できるように前記加圧ラッチ１４１に弾性力を提供する。
【００６６】
本実施形態においては、前記加圧部１４０が分離胴体部１１２を変形玩具１００の走行方向に押し出すことで、前記分離した分離胴体部１１２が所定の方向に移動する構成を実施形態として説明したが、本発明はこれに限定されるものではない。前記加圧部１４０の配設位置が左側または右側に偏心して配置されるか、または地面を加圧するように前記加圧部１４０が配置されることで、前記加圧部１４０の加圧力により分離した分離胴体部１１２は、走行方向の左方または右方に向かって移動しながら回転するか、または地面に対する加圧により分離した分離胴体部１１２が上方に跳ね返るか、または玩具の後方に投げられるように構成してもよい。
【００６７】
また、本実施形態においては、前記加圧部１４０が分離胴体部１１２に配設された構成を実施形態として説明したが、本発明はこれに限定されるものではなく、前記加圧部１４０は、前記分離胴体部１１２が結合した胴体部１１０に配設されてもよい。
【００６８】
前記アイテム２００は、外部の形状が円形状、楕円形状、多角形状のうちのいずれか１つの形状を呈する板状の部材であって、紙材、プラスチック合成樹脂などにより形成され、好ましくは、プラスチック合成樹脂材により形成される。アイテム２００の内部には、磁石部１３０と磁場を形成し得る磁性体２１０または磁石のうち少なくとも一方が配設される。
【００６９】
また、前記アイテム２００の外面には、任意のキャラクタ、数字、文字、図形、絵柄などが印刷物によって貼着されてもよく、陰刻または陽刻などによって形成されてもよい。
【００７０】
次いで、本発明の第１の実施形態に係る変形玩具１００の動作過程について説明する。
【００７１】
まず、上部胴体部１１１と、分離胴体部１１２と、側胴体部１１３と、後方胴体部１１４とを結合して、変形玩具１００が第１の形状を維持したロック状態にする。
【００７２】
その後、任意の位置にアイテム２００を配置し、第１の形状を維持する変形玩具１００を前記アイテム２００に向かって走行させる。
【００７３】
前記変形玩具１００がアイテム２００を通過すると、前記アイテム２００と変形玩具１００の磁石部１３０との間には磁場による引力が発生して、前記アイテム２００が磁石部１３０と付着する。これにより、前記磁石部１３０が配設されたロック部１２０が移動することにより、ロック状態が解除される。
【００７４】
前記ロック部１２０がロック解除されると、側面胴体部１１３と前記ロック部１２０が配設された分離胴体部１１２とが分離される。前記側面胴体部１１３は、側面胴体部ヒンジ１１３ａを中心としてそれぞれ左右方向に水平回転し、前記側面胴体部１１３により所定の位置に固定された状態を維持していた上部胴体部１１１も上方に回転する展開動作を行い、第１の形状が第２の形状に変形する。
【００７５】
また、前記ロック部１２０がロック解除されると、加圧部１４０は、加圧ラッチ１４１を用いて上部胴体部１１１またはキャラクタ部１１５を加圧して、分離胴体部１１２を変形玩具１００の走行方向に分離させ、移動させる。
【００７６】
一方、前記分離胴体部１１２は、変形玩具１００から分離すると、第１の分離胴体部１１２ａがバネ１１２ｄの弾性力により第２の分離胴体部１１２ｂに対して垂直方向になるように回転して、分離胴体部１１２の底面に付着したアイテム２００が上部に露出する。
【００７７】
したがって、アイテムとの接触により胴体の一部が離脱して第１の形状が第２の形状に変形することにより、変形に必要な構成と変形後に必要な構成とが区別され、その結果、変形完了したキャラクタのイメージをより明確に表すことができ、胴体の一部分離及びカードの露出により遊びへの興味を一層高めることができる。
【００７８】
（第２の実施形態）
図６は、本発明の第２の実施形態に係る変形玩具の構成を示す断面図であり、図７は、本発明の第２の実施形態に係る変形玩具の動作過程を説明するための断面図である。
【００７９】
図６及び図７に示すように、本発明に係る変形玩具１００’は、胴体部１１０から分離可能に配設された分離胴体部１１２’がロック部１２０’により前記胴体部１１０に固定され、前記ロック部１２０’が任意のアイテム２００によりロック状態から解除されると、前記分離胴体部１１２’は胴体部１１０から分離及び離脱し、前記分離胴体部１１２’が分離された胴体部１１０は展開して外部の形状が第１の形状から第２の形状に変形するようになっている。変形玩具１００’は、胴体を構成する胴体部１１０と、ロック手段としてのロック部１２０’と、磁石部１３０’と、加圧部１４０と、アイテム２００と、を備える。
【００８０】
第２の実施形態に係る変形玩具１００’は、第１の実施形態の構成と比較して、ロック部１２０’及び磁石部１３０’の構成に相違点がある。以下、前記第１の実施形態の構成要素と同一の構成要素には同一符号を付して重複する説明は省略する。
【００８１】
前記ロック部１２０’は、アイテム２００との物理的な接触によりロック部１２０’を変位させてロック状態を維持するか、またはロック状態を解除する構成要素である。前記ロック部１２０’は、ロック部胴体１２１’と、ラッチ１２２’と、回転軸１２３’と、を備える。
【００８２】
前記ロック部胴体１２１’は、一方の側の先端部が分離胴体部１１２’の底面を貫通して突設されており、アイテム２００との物理的な接触が可能である。前記ロック部胴体１２１’は、所定の位置を維持させるバネ（図示せず）を備える。
【００８３】
前記ラッチ１２２’は、一方の側が回転軸１２３’を介してロック部胴体１２１’と連結され、他方の側は先端部に係止突起が形成されて側面胴体部１１３の第１の締結溝１１３ｃと係合する。これによりロック部１２０’がロック部胴体１２１’の動作に応じて回転軸１２３’を中心として回転して、ロック状態が維持されるかまたはロック状態が解除される。
【００８４】
前記磁石部１３０’は、分離胴体部１１２’の底面の一方の側にロック部１２０’と分離されており、所定の距離だけ離れた位置に固設される。磁石部１３０’は、アイテム２００に内在した磁性体２１０と磁場を形成して前記ロック部１２０’と物理的に接触したアイテム２００を分離胴体部１１２’の底面に付着させる。
【００８５】
このため、アイテムとの接触により胴体の一部が離脱して第１の形状が第２の形状に変形することにより、変形に必要な構成と変形後に必要な構成との区別を図り、変形完了したキャラクタのイメージをより明確に表すことができ、胴体の一部分離及びカードの露出により、遊びへの興味を一層高めることができる。
【００８６】
（第３の実施形態）
図８は、本発明の第３の実施形態に係る変形玩具を示す断面図である。
【００８７】
図８に示すように、本発明に係る変形玩具１００”は、胴体部１１０から分離可能に配設された分離胴体部１１２”がロック部１２０”により前記胴体部１１０に固定され、前記ロック部１２０”が任意のアイテム２００によりロック状態から解除されると、前記分離胴体部１１２”は胴体部１１０から分離及び離脱し、前記分離胴体部１１２”が分離した胴体部１１０は展開して外部の形状が第１の形状から第２の形状に変形するようになっている。変形玩具１００”は、胴体を構成する胴体部１１０と、ロック手段としてのロック部１２０”と、磁石部１３０”と、加圧部１４０と、アイテム２００と、を備える。
【００８８】
第３の実施形態に係る変形玩具１００”は、第１の実施形態に係る構成と比較して、ロック部１２０”及び磁石部１３０”の構成に相違点がある。以下、前記第１の実施形態の構成要素と同一の構成要素には同一符号を付して重複する説明は省略する。
【００８９】
前記ロック部１２０”は、前記アイテム２００との物理的な接触により前記ロック部１２０”を変位させて前記ロック部１２０”のロック状態を解除する。前記ロック部１２０”の一方の側に配設され、前記ロック部１２０”の変位に応じて移動し、前記物理的に接触したアイテム２００を付着させる構成要素として、ロック部胴体１２１”と、ラッチ１２２”と、回転軸１２３”と、リンク１２４”と、磁石部１３０”と、を備える。
【００９０】
前記ロック部胴体１２１”は、一方の側の先端部が分離胴体部１１２”の底面を貫通して突設され、アイテム２００との物理的な接触が可能である。前記ロック部胴体１２１”は、所定の位置を維持するためのバネ（図示せず）を備える。
【００９１】
前記ラッチ１２２”は、一方の側が回転軸１２３”を中心としてロック部胴体１２１”に連結され、他方の側は先端部に係止突起が形成されて側面胴体部１１３の第１の締結溝１１３ｃと係合する。これによりロック部１２０”がロック部胴体１２１’の動作に応じて回転軸１２３”を中心として回転して、ロック状態が維持されるか、またはロック状態が解除される。
【００９２】
前記リンク１２４”は、一方の側が回転軸１２３”を中心としてロック部胴体１２１”に連結され、他方の側は所定の長さだけ延設されており、先端には磁石部１３０”が固設される。
【００９３】
前記磁石部１３０”は、ロック部１２０”のリンク１２４”に配設されており、前記ロック部１２０”がアイテム２００と物理的に接触することで、前記ロック部１２０”が回転軸１２３”を中心として回転して変位すると、前記ロック部１２０”の変位に応じて図面上で下方に向かって移動して、前記物理的に接触したアイテム２００が前記磁石部１３０”に付着する。
【００９４】
また、前記磁石部１３０”には、アイテム２００と物理的に接触して付着できるように、分離胴体部１１２”の底面を貫通して変位し、前記アイテム２００と付着できるように、磁石はもとより、吸着板などの真空圧着パッド（吸盤）、所定の粘度を有して付着力（粘着力）を提供する粘性体、接着剤などを採用することができる。
【００９５】
以上のように、アイテムとの接触により胴体の一部が離脱して第１の形状から第２の形状に変形することにより、変形に必要な構成と変形後に必要な構成との区別を図り、変形完了したキャラクタのイメージをより明確に表すことができ、胴体の一部分離及びカードの露出により遊びへの興味を一層高めることができる。
【００９６】
以上、本発明の好適な実施形態を挙げて本発明について説明したが、当該技術分野における熟練された当業者であれば、下記の特許請求の範囲に記載の本発明の思想及び領域から逸脱しない範囲内において本発明を種々に修正及び変更することができるということが理解できる筈である。
【００９７】
また、本発明の実施形態について説明する過程において、図示の線の太さや構成要素の大きさなどは説明の明瞭性及び便宜性のために誇張されて示されていてもよく、上述した用語は、本発明における機能を考慮して定義された用語であって、これらは、使用者や運用者の意図または慣例によって異なるため、これらの用語に関する解釈は、本明細書の全般に亘っての内容に基づいて行われるべきである。
【符号の説明】
【００９８】
１００、１００’、１００”  変形玩具
１１０    胴体部
１１１    上部胴体部
１１１ａ  上部胴体部ヒンジ
１１２    分離胴体部
１１２ａ  第１の分離胴体部
１１２ａ’第１の分離胴体部回転軸
１１２ｂ  第２の分離胴体部
１１２ｂ  結合孔
１１２ｂ”締結部
１１２ｃ  前輪
１１２ｄ  バネ
１１３    側面胴体部
１１３ａ  側面胴体部ヒンジ
１１３ｂ  係止突起
１１３ｃ  第１の締結溝
１１３ｄ  第２の締結溝
１１４    後方胴体部
１１４ａ  後方胴体部第１のヒンジ
１１４ｂ  後方胴体部第２のヒンジ
１１４ｃ  第１のシャフト
１１４ｃ’バネ
１１４ｄ  第２のシャフト
１１４ｄ’バネ
１１４ｅ  後輪
１１５    キャラクタ部
１２０    ロック部
１２１    ロック部胴体
１２２    ラッチ
１２３    ラッチ結合部
１３０    磁石部
１３１    磁石
１３２    バネ
１４０    加圧部
１４１    加圧ラッチ
１４２    バネ
２００    アイテム
２１０    磁性体
【図１】
0006584530.tif 000002
【図２】
0006584530.tif 000003
【図３】
0006584530.tif 000004
【図４】
0006584530.tif 000005
【図５】
0006584530.tif 000006
【図６】
0006584530.tif 000007
【図７】
0006584530.tif 000008
【図８】
0006584530.tif 000009